(57)【要約】【課題】静電機構を備えているとともに作業性を確保することができる上衣を提供する。【解決手段】導電糸を含む布地で構成され、袖部５を構成する部位１９と一体で形成された後身頃７と、導電糸を含む布地で構成された前身頃９とを有する上衣１である。【選択図】図１
2013014864.tif 000002
【特許請求の範囲】
【請求項１】
導電糸を含む布地で構成され、袖部を構成する部位と一体で形成された後身頃と、
導電糸を含む布地で構成された前身頃と、
を有することを特徴とする上衣。
【請求項２】
請求項１に記載の上衣において、
上記後身頃は、左側の後身頃と右側の後身頃とで構成されていることを特徴とする上衣。
【請求項３】
請求項１または請求項２に記載の上衣において、
前記前身頃と前記後身頃とをお互いに縫合している縫い目であって脇から下方に延びている縫い目が、後側もしくは前側にずれていることを特徴とする上衣。
【請求項４】
請求項１〜請求項３のいずれか１項に記載の上衣において、
前記前身頃と前記後身頃とをお互いに縫合している縫い目であって脇から上方に延びている縫い目が、前側を通っていることを特徴とする上衣。
【発明の詳細な説明】
【技術分野】
【０００１】
本発明は上衣に係り、特に、静電機能（静電気の発生を抑制する機能）を備えており準クリーンルーム等で使用されるものに関する。
【背景技術】
【０００２】
従来、運動しやすい上衣として様々なものが知られている（たとえば、特許文献１〜特許文献５参照）。
【０００３】
また、人体に蓄積した静電気が原因でコンピュータ等の電気機器が故障してしまう問題があり、近年、コンピュータや精密機器を運送する業者や準クリーンルームで作業する者に対しても、静電機能を備えた衣服（上衣等の作業着）の着用が求められている。上記静電機能を有する衣服は、ＩＥＣ規格に適合した衣服（電気抵抗の値が１０１２Ω未満の衣服）であり、日本では、さらに厳しい条件（電気抵抗の値が１０９Ω未満；グランダブル規定）を課せられる場合がある。
【先行技術文献】
【特許文献】
【０００４】
【特許文献１】実公昭５４−３３１号公報
【特許文献２】実公昭５４−１１０４９号公報
【特許文献３】特開昭和５８−８７３０９号公報
【特許文献４】実公昭５２−４８８０７号公報
【特許文献５】実開昭６１−１１７２５号公報
【発明の概要】
【発明が解決しようとする課題】
【０００５】
ところで、上衣等の作業着では、静電機能だけでなく作業性を確保（上衣の着用者が腕を動かしやすい等、着用者の運動機能を確保）する必要がある。
【０００６】
しかしながら、従来の上衣のように、着用者の運動性だけをもとめたのでは、電気抵抗の値が大きくなり、静電機能は損なわれてしまうという問題がある。
【０００７】
すなわち、着用者の作業性を確保することだけを目指して、導電糸を含む布地を裁断すると、裁断された布の形状が煩雑化する。さらに、これらの煩雑化した形状の布同士を縫合（縫製）すると、この縫合をした箇所（縫製ラインのところ）で導電糸同士の接続がされにくくなって、上衣の電気抵抗が大きくなってしまうという問題がある。
【０００８】
本発明は、上記問題点に鑑みてなされたものであり、静電機構を備えているとともに作業性を確保することができる上衣を提供することを目的とする。
【課題を解決するための手段】
【０００９】
請求項１に記載の発明は、導電糸を含む布地で構成され、袖部を構成する部位と一体で形成された後身頃と、導電糸を含む布地で構成された前身頃とを有する上衣である。
【００１０】
請求項２に記載の発明は、請求項１に記載の上衣において、上記後身頃は、左側の後身頃と右側の後身頃とで構成されている上衣である。
【００１１】
請求項３に記載の発明は、請求項１または請求項２に記載の上衣において、前記前身頃と前記後身頃とをお互いに縫合している縫い目であって脇から下方に延びている縫い目が、後側もしくは前側にずれている上衣である。
【００１２】
請求項４に記載の発明は、請求項１〜請求項３のいずれか１項に記載の上衣において、前記前身頃と前記後身頃とをお互いに縫合している縫い目であって脇から上方に延びている縫い目が、前側を通っている上衣である。
【発明の効果】
【００１３】
本発明によれば、静電機構を備えているとともに作業性を確保することができる上衣を提供することができるという効果を奏する。
【図面の簡単な説明】
【００１４】
【図１】本発明の実施形態に係る上衣の正面図（前面図）である。
【図２】本発明の実施形態に係る上衣の後面図である。
【図３】本発明の実施形態に係る上衣の側面図である。
【図４】本発明の実施形態に係る上衣の左側の後身頃を示す図である。
【図５】本発明の実施形態に係る上衣の右側の後身頃を示す図である。
【図６】本発明の実施形態に係る上衣の左側の前身頃を示す図である。
【図７】本発明の実施形態に係る上衣の右側の前身頃を示す図である。
【図８】後身頃の裁断例を示す図である。
【図９】左右の後身頃の縫製ラインの詳細を示す図であり、図２におけるＩＸ−ＩＸ断面を示す図である。
【図１０】胸ポケットの詳細を示す図であり、図１におけるＸ−Ｘ断面を示す図である。
【図１１】従来の上衣において電気抵抗を測定した箇所を示す図である。
【図１２】電気抵抗の測定結果を示す図である。
【発明を実施するための形態】
【００１５】
上衣１は、たとえば、作業着として使用されるジャンバーであり、準クリーンルーム内で作業する者が使用し、電気抵抗の値が１０９Ω未満になっており静電機能を備えている。
【００１６】
また、上衣１は、図１〜図３で示すように、着用者の胴体を覆う胴体部３と着用者の腕を覆う袖部（腕部）５とを備えており、主として、後見頃（７Ａ，７Ｂ）と前身頃９（９Ａ，９Ｂ）とを縫製して生成されている。なお、胴体部３は、着用者の肩部と胸部と腹部とを覆う部位であり、袖部５は、着用者の上肢（手の平と指を除く上腕と前腕）を覆う部位である。
【００１７】
左側の前身頃９Ａと右側の前身頃９Ｂとは、線ファスナ１１によってお互いが接合されもしくは離れるようになっている。また、前身頃９には、胸ポケット１３と脇ポケット１５と襟部１７が設けられている。
【００１８】
上衣１を構成している布地は、導電糸を含んでいる。導電糸はピッチが５ｍｍ程度の格子状になって織り込まれている。
【００１９】
後身頃７は、上述したように、導電糸を含む布地で構成されており、袖部を構成する部位１９と一体で構成されている。すなわち、後身頃７は、後身頃本体部２１と袖部構成部１９とが一体で裁断されて形成されている。
【００２０】
前身頃９も、上述したように、導電糸を含む布地で構成されている。また、前身頃９は、左側の前身頃９Ａと右側の前身頃９Ｂとに分離されている。
【００２１】
このようにして構成された上衣１では、主な縫製ラインが、袖部５（袖部構成部１９）の下側に形成され（袖部下側縫製ライン２３が形成され）、前身頃９と後身頃本体部２１との縫合部分に形成されている（前後身頃縫製ライン２５が形成されている）。
【００２２】
後身頃７は、左側の後身頃７Ａと右側の後身頃７Ｂとに分離されている。そして、すでに理解されるように、左側の後身頃７Ａは、左側の後身頃本体部２１と左側の袖部構成部１９とで構成されており、右側の後身頃７Ｂも、右側の後身頃本体部２１と右側の袖部構成部１９とで構成されている。なお、左側の後身頃７Ａと右側の後身頃７Ｂとが分離されておらず、一体で裁断されていてもよい。
【００２３】
また、後身頃７が左側の後身頃７Ａと右側の後身頃７Ｂとに分かれていることで、後中央縫製ライン２７が左側の後身頃７Ａと右側の後身頃７Ｂとの縫合部に形成されている。
【００２４】
上衣１では、前後身頃縫製ライン２５のうちの下側の縫い目２５Ａが、後側にずれている。すなわち、下側の縫い目２５Ａは、着用者の前頭面（着用者の体の左右を結び前後に分ける面；着用者の前後方向に対して直交し着用者の体の中心を通る面）よりも後側にずれている。なお、前後身頃縫製ライン２５は、前身頃９と後身頃７とをお互いに縫合している縫い目であり、下側の縫い目２５Ａは、脇（着用者の胸の両側面で腕の付け根の下のところ）から下方に延びている縫い目である。
【００２５】
また、上衣１では、前後身頃縫製ライン２５のうちの上側の縫い目２５Ｂが、着用者の脇の部分よりも上方に延びて着用者の大鎖骨上窩まで達している（着用者の前側にあって着用者の大胸筋と三角筋との境界のところを通っている）。
【００２６】
ここで、上衣１についてさらに詳しく説明する。
【００２７】
縫製する前の各身頃７，９は、図４〜図７で示す形状に裁断されている。なお、図４〜図７で示す各身頃７，９では、縫い代等は省略してある。
【００２８】
各身頃７，９の外周（縁）は、「Ｖ」字状の切れ込み等、縫製によって上衣１を立体的に形成するための湾状（湾口に引いた直線を直径とする半円の面積よりも湾入部の面積が広い形状）の凹部が形成されていない滑らかな形状（直線状の部位と円弧状の部位と適宜組み合わせた形状）になっている。
【００２９】
ここで、左側の後身頃７Ａの形状についてさらに詳しく説明する。左側の後身頃７Ａは、図４で示すように、袖部構成部１９と後身頃本体部２１とで概ね「Ｌ」字状に形成されている。なお、図４で示すショルダーラインＳＬは、左側の後身頃７Ａで上衣１を生成した場合、最も上部に位置するようになっている。
【００３０】
左側の後身頃７Ａの外周は、中央ライン２９と下部ライン３１と脇下側ライン３３と第１の袖部ライン３５と袖口ライン３７と第２の袖部ライン３９と脇上側ライン４１と襟ぐりライン４３とを備えた閉曲線状に形成されている。
【００３１】
中央ライン２９は、直線状に形成されており、左側の後身頃７Ａで上衣１を生成した場合、中央ライン２９は、左右方向の中央で裾から襟まで下から上に向かって直線状に延びるようになっている。
【００３２】
下部ライン３１は、中央ライン２９と直交しており、中央ライン２９の下端から左に向かって直線状に所定の長さだけ延びている。なお、左側の後身頃７Ａで上衣１を生成した場合、下部ライン３１の左端は、着用者の前頭面よりも後方に位置している。
【００３３】
脇下側ライン３３は、下部ライン３１の左端から上側に向かって延びている。脇下側ライン３３は、下方では、中央ライン２９とほぼ平行に延びているが、上方では、中央ライン２９から離れる側に曲がっている。また、上方になるほど、中央ライン２９から離れる度合いが大きくなっている。さらに、脇下側ライン３３は、左側の後身頃７Ａで上衣１を生成した場合、着用者の前頭面よりも後方に位置している。
【００３４】
第１の袖部ライン３５は、脇下側ライン３３の上端（左端）から左側および上側に向かって延びている。第１の袖部ライン３５は、脇下側ライン３３につながっている右端では、左側に向かう値と上側に向かう値との比（接線の傾き）が、脇下側ライン３３の上端におけるものと等しくなっているが、左に向かうにしたがって、左側に向かう値が上側に向かう値よりも大きくなっている（図４では接線の傾きが水平に近づいている）。
【００３５】
袖口ライン３７は、第１の袖部ライン３５の左端から、中央ライン２９と平行に向かって延びている。
【００３６】
第２の袖部ライン３９は、袖口ライン３７の端部から、ショルダーライン（着用者の肩の上で左右方向に延びる仮想ライン）ＳＬを中心にして第１の袖部ライン３５とほぼ対称に延びている。
【００３７】
脇上側ライン４１は、１／４の円弧状に形成されており、第２の袖部ライン３９の右端部からショルダーラインＳＬ（上側）および右側に向かって伸びている。なお、脇上側ライン４１は、第２の袖部ライン３９に接続している箇所で、ほぼショルダーラインＳＬにのみ向かって延びているが、第２の袖部ライン３９から離れるにしたがって、右側に向かう割合が次第に大きくなり、右端では、ショルダーラインＳＬとほぼ平行になっている。これにより、脇上側ライン４１の部分では、左側の後身頃７Ａの外周が１／４円弧状で凹状になっている。
【００３８】
襟ぐりライン４３は、円弧状に形成されており、脇上側ライン４１の右端と中央ライン２９の上端とをつないでいる。襟ぐりライン４３の部分では、左側の後身頃７Ａの外周が凹状になっている。
【００３９】
右側の後身頃７Ｂは、左側の後身頃７Ａと同形状に形成されている。なお、布地に表裏の区別が存在する場合には、右側の後身頃７Ｂは、左側の後身頃７Ａに対して鏡面対称の形状になっている。
【００４０】
左側の前身頃９Ａは、１つの角が約９０°であり、他の角が鈍角であり、前記９０°の角を形成する２辺以外の３つの辺が凸状もしくは凸状な円弧状である五角形状に形成されている。
【００４１】
詳しく説明すると、左側の前身頃９Ａの外周は、中央ライン４５と下部ライン４７と脇下側ライン４９と脇上側ライン５１と襟ぐりライン５３とを備えた閉曲線状に形成されている。
【００４２】
中央ライン４５は、直線状に形成されており、左側の後身頃７Ａで上衣１を生成した場合、中央ライン２９は、左右方向の中央部で裾から襟まで下から上に向かって直線状に延びるようになっている。
【００４３】
下部ライン４７は、中央ライン４５と直交しており、中央ライン４５の下端から左（図６では右になっている）に向かって直線状に所定の長さだけ延びている。なお、左側の前身頃９Ａで上衣１を生成した場合、下部ライン４７の左端部は、着用者の前頭面よりも後方に位置している。
【００４４】
脇下側ライン４９は、下部ライン４７の左端から右側（図６では左側になっている）および上側に向かって延びている。脇下側ライン４９は、下部ライン４７につながっている下端では、ほぼ上側に向かって延びているが、上に向かうにしたがって、右側に向かう値が上側に向かう値よりも大きくなっている（図６では接線の傾きが水平に近づいている）。これにより、脇下側ライン４９の部分では、左側の前身頃９Ａの外周が凸な円弧状になっている。
【００４５】
脇上側ライン５１は、脇下側ライン４９の上端（右端）から右側（図６では左側になっている）および上側に向かって延びている。脇上側ライン５１は、上に向かうにしたがって、右側に向かう値が上側に向かう値よりも大きくなっている（図６では接線の傾きが水平に近づいている）。これにより、脇下側ライン４９の部分では、左側の前身頃９Ａの外周が凸な円弧状になっている。また、脇下側ライン４９と脇上側ライン５１との接続部とこの近傍の部位とによって、左側の前身頃９Ａの外周が凹状になっている。
【００４６】
襟ぐりライン５３は、円弧状に形成されており、脇上側ライン５１の右端（上端）と中央ライン４５の上端とをつないでいる。襟ぐりライン５３の部分では、左側の後身頃７Ａの外周が凹状になっている。
【００４７】
右側の前身頃９Ｂは、左側の前身頃９Ａと同形状に形成されている。なお、布地に表裏の区別が存在する場合には、右側の前身頃９Ｂは、左側の前身頃９Ａに対して鏡面対称の形状になっている。
【００４８】
各身頃７，９を適宜縫い合わせて上衣１を生成する場合、左側の後身頃７Ａの中央ライン２９と右側の後身頃７Ｂの中央ライン２９とが縫合されて、後中央縫製ライン２７が形成されるようになっている。
【００４９】
また、各身頃７，９を適宜縫い合わせて上衣１を生成する場合、後身頃７の脇下側ライン３３と前身頃９の脇下側ライン４９とが縫合されて、前後身頃縫製ライン２５のうちの下側の縫い目２５Ａが形成されるようになっている。
【００５０】
また、各身頃７，９を適宜縫い合わせて上衣１を生成する場合、後身頃７の第１の袖部ライン３５と第２の袖部ライン３９とが縫合されて、袖部下側縫製ライン２３が形成されるようになっている。
【００５１】
また、各身頃７，９を適宜縫い合わせて上衣１を生成する場合、後身頃７の脇上側ライン４１と前身頃９の脇上側ライン５１とが縫合されて、前後身頃縫製ライン２５のうちの上側の縫い目２５Ｂが形成されるようになっている。
【００５２】
なお、袖部下側縫製ライン２３と下側の縫い目２５Ａと上側の縫い目２５Ｂとは脇の部分（点Ｐ１）から３本にわかれて延伸している（図３参照）。
【００５３】
ここで、図９を参照して、後中央縫製ライン２７について詳しく説明する。後中央縫製ライン２７は、左右の後身頃７Ａ，７Ｂを中央布５５と３本の縫製糸（第１〜第３の縫製糸）５７，５９，６１とによって構成されている。なお、中央布５５と３本の縫製糸５７，５９，６１とは、図９の紙面に直交する方向に長く延びている。
【００５４】
後中央縫製ライン２７は端部処理６３を施した左右の後身頃７Ａ，７Ｂ同士を第１の縫製糸５７で縫い合わせ、続いて、幅方向の両端部を折り返した中央布５５を「Ｕ」字状にして、左右の後身頃７Ａ，７Ｂの端部を覆い、第２の縫製糸５９で、中央布５５と左右の後身頃７Ａ，７Ｂとを縫い合わせ、続いて、右側の後身頃７Ｂを折り返して、第３の縫製糸６１で、中央布５５と右側の後身頃７Ｂとを縫い合わせることで生成されている。
【００５５】
これにより、左右の後身頃７Ａ，７Ｂ同士の接触面積が大きくなるとともに、左右の後身頃７Ａ，７Ｂ同士の接触圧を大きくすることができ、左右の後身頃７Ａ，７Ｂ間における電気抵抗の値を小さくすることができる。
【００５６】
他の縫製ラインも後中央縫製ライン２７と同様に構成されているが、他の縫製ラインが後中央縫製ライン２７と異なった構成であってもよい。
【００５７】
次に、胸ポケット１３について詳しく説明する。
【００５８】
胸ポケット１３は、袋状のポケット部６５と開口部（ポケット口）６９を覆っているフラップ６７とを備えて構成されている。
【００５９】
袋状のポケット部６５は、前側ポケット部構成布７１と後側ポケット部構成布７３とを備えて構成されている。ポケット口６９は、下部外側ポケット口構成布７５と下部内側ポケット口構成布７７と上部内側ポケット口構成布７９と上部ポケット口構成布８１とを備えて構成されている。フラップ６７は、上部前側フラップ構成布８３と上部内側フラップ構成布８５と下部前側フラップ構成布８７と下部内側フラップ構成布８９と後側フラップ構成布９１とを備えて構成されている。
【００６０】
また、袋状のポケット部６５とポケット口６９とフラップ６７とは、各構成布７１，７３，７５，７７，７９，８１，８３，８５，８７，８９、９１を、縫製糸９３のそれぞれで適宜縫い合わせることで形成されている。なお、各構成布７１〜９１と各縫製糸９３とは、図１０の紙面に直交する方向に、ポケット口６９の幅程度の長さで延びている。
【００６１】
ここで、従来の上衣（図１１参照）と本発明の実施形態に係る上衣１との試験結果（電気抵抗の測定結果）について説明する。
【００６２】
電気抵抗値は、パーツ間（身頃間）の導通性を観るため、縫製ラインを挟んで行なった。すなわち、図１で示す上衣１では、点Ｇ１と点Ｇ２との間における電気抵抗を測定し、図１１で示す従来の上衣でも、上衣１と同様にして点Ｇ１と点Ｇ２との間における電気抵抗を測定した。
【００６３】
また、前処理として、各上衣を５回洗濯し、この洗濯後に、温度２０℃で湿度４０％の環境に２４時間保管した。そして、温度２０℃で湿度４０％の環境下で、電気抵抗を測定した。
【００６４】
電気抵抗を測定した機器として、測定器Ｉと測定器ＩＩを使用した。測定器Ｉは、テラオームメータ（ミドリ安全製）であり、測定器ＩＩは、抵抗計Ｍｏｄｅｌ１５２（トレック製）である。
【００６５】
試験結果を図１２に示す。図１２で示す結果から、本発明の実施形態に係る上衣１のほうが従来のものよりも電気抵抗の値が小さくなっていることがわかる。
【００６６】
上衣１によれば、後身頃７が、後身頃本体部２１と袖部構成部１９とで一体で形成されているので、上衣１における袖部５と胴体部３との境界に縫製ラインが生成されていない。これにより、着用者が肩関節を動かしやく、着用者の作業性を確保することができる。
【００６７】
つまり、着用者の肩のところにおける縫製ラインが無くなっているので、着用者の腕の前方への挙動運動性が良くなっている。
【００６８】
また、後身頃７が後身頃本体部２１と袖部構成部１９とを一体化して構成されていることで、前後の袖部と後身頃７が一体の生地から構成されており、従来の上衣と比べて袖付け部の縫製ラインがなくなっているので、電気抵抗が大きくなることが防止され静電機能が確保されている。
【００６９】
すなわち、上衣１では、縫い目が少なくなっているので、縫い目間にて発生する接触部の電気抵抗値が既存パターン（従来の上衣）に比べ小さくなり、結果的に袖−袖間（図１の点Ｇ１と点Ｇ２との間）等の電気抵抗値が低く抑えられている。
【００７０】
さらに、縫製ラインが少なくなっているので、構成が簡素化され縫製が容易になっているとともに、肩部分の縫製ラインが存在しないので下着に対する引っ掛かりが無くなって滑りが良くなり、着用者が運動しやすくなる。
【００７１】
また、縫製当初の状態では、縫製箇所で生地同士が強く重なって（圧力をもってお互いに接合して）良好な接触をしているので、縫目部分（縫製箇所）の電気的連続性は良好である。一方、上衣の着用、洗濯を重ねることにより、縫製箇所で生地同士が離れる傾向になり（生地同士の接触圧力が弱まり）、上衣の各パーツの電気的連続性が低下する。そして、電気抵抗の値が縫製箇所で増加してしまう。しかし、上衣１では、縫製箇所での電気抵抗の値が増加しても、縫い目を少なくしてあるので、縫製箇所での電気抵抗値の増加の影響を抑えることができ、電気的耐久性が向上している（電気抵抗の増加を抑えることができる）。
【００７２】
また、上衣１によれば、後身頃７が、左側の後身頃７Ａと右側の後身頃７Ｂとに分割されているので、図８で示すうように、材料取りにおける無駄の発生を少なくすることができる。
【００７３】
また、上衣１によれば、下側の縫い目２５Ａが、図３で示すように後側にずれているので、着用者が腕を上げる場合、下側の縫い目２５Ａによる抵抗が小さくなり、腕を上げやすくなっている。
【００７４】
すなわち、下側の縫い目（下側の縫製ライン）２５Ａが、着用者の前頭面からずれていないと、着用者が腕を上げる場合、下側の縫い目２５Ａが邪魔して（下側の縫製ライン２５Ａで腕が下方に引っ張られて）腕を上げ難くなるが、下側の縫い目２５Ａが、後側にずれていることで、着用者が腕を上げるときに下側の縫い目２５Ａがほとんど抵抗にならず、着用者が腕を上げやすくなる。
【００７５】
また、上衣１によれば、上側の縫い目（上側の縫製ライン）２５Ｂが、図１で示すように、前側を通っているので、着用者の前面側（胸側）には、後身頃７と前身頃９との縫製ラインが存在しているが、着用者の肩のところには、縫製ラインが形成されていない。これにより、着用者が腕を前方へ動かしやすくなっており、前方への挙動運動性が良くなっている。
【００７６】
ところで、下側の縫製ライン２５Ａは図３等で示すように、後側に凸になるように曲がって後側にずれているが、下側の縫製ライン２５Ａが、図３に破線Ｌ１で示すように前側に凸になるように前側にずれていてもよい。また、図３等で示す下側の縫製ライン２５Ａの下端は、着用者の前頭面よりも後方に位置しているが、前方に位置していてもよい。さらに、下側の縫製ラインが、前後方向で蛇行等していて、着用者の前頭面からずれていてもよい。
【００７７】
なお、図１や図２で示す上衣１ではショルダーラインＳＬが水平方向に延伸しているが、ショルダーラインＳＬが、斜めに傾斜していてもよい。すなわち、左右のショルダーラインＳＬが、襟部１７のところで上方に位置し、袖口に向かうにしたがってしだいに下方に位置するようになっていてもよい。
【符号の説明】
【００７８】
１  上衣
７  後身頃
９  前身頃
２５Ａ、２５Ｂ  縫い目
【図１】
2013014864.tif 000003
【図２】
2013014864.tif 000004
【図３】
2013014864.tif 000005
【図４】
2013014864.tif 000006
【図５】
2013014864.tif 000007
【図６】
2013014864.tif 000008
【図７】
2013014864.tif 000009
【図８】
2013014864.tif 000010
【図９】
2013014864.tif 000011
【図１０】
2013014864.tif 000012
【図１１】
2013014864.tif 000013
【図１２】
2013014864.tif 000014